(57)【要約】【課題】フレキシブル配線基板の搭載ずれに柔軟に対応可能であり、フレキシブル配線基板が搭載された固体撮像装置全体としての位置決めを正確に行うことができるテストソケットを提供する。【解決手段】テストソケット１０は、設置台１１、基板台１２、設置台用蓋１３、および基板台用蓋１４を備え、設置台用蓋１３には、設置台用蓋１３を閉じることで、設置台１１に収容される固体撮像装置２の、Ｘ軸方向、Ｙ軸方向、Ｚ軸方向、および、Ｚ軸を回転軸とした回転方向における位置決めを行う内機構部が設けられ、基板台１２は、連動手段を介して、設置台１１に移動可能に接続され、上記連動手段は、設置台用蓋１３の閉動作に連動して、固体撮像装置２とフレキシブル配線基板４との位置関係に応じて基板台１２を移動させる。【選択図】図１
2011171011.tif 000002
【特許請求の範囲】
【請求項１】
接続端子を有するフレキシブル配線基板が搭載された固体撮像装置を収容するテストソケットであって、
上記固体撮像装置が収容される第１収容部と、
上記フレキシブル配線基板が収容される第２収容部と、
上記第１収容部を開閉する第１開閉部とを備え、
上記第２収容部には、上記接続端子と電気的に接続させるためのコンタクト端子が設けられ、
上記第１開閉部には、当該第１開閉部を閉じることで、上記第１収容部に収容される固体撮像装置の、Ｘ軸方向、Ｙ軸方向、Ｚ軸方向、および、Ｚ軸を回転軸とした回転方向における位置決めを行う位置決め部が設けられ、
上記第２収容部は、連動手段を介して、上記第１収容部に移動可能に接続され、
上記連動手段は、上記第１開閉部の閉動作に連動して、上記固体撮像装置と上記フレキシブル配線基板との位置関係に応じて上記第２収容部を移動させることを特徴とするテストソケット。
【請求項２】
上記第２収容部を開閉する第２開閉部をさらに備え、
上記第１開閉部は、上記第１収容部に着脱可能に取り付けられ、
上記第２開閉部は、上記第２収容部に着脱可能に取り付けられていることを特徴とする請求項１に記載のテストソケット。
【発明の詳細な説明】
【技術分野】
【０００１】
本発明は、フレキシブル配線基板が搭載された固体撮像装置のテストに使用されるテストソケットに関するものであり、特に、固体撮像装置をテストソケットに収容するときの位置決め精度を向上する技術に関するものである。
【背景技術】
【０００２】
近年、カメラ付携帯電話やデジタルスチルカメラなどに代表される、固体撮像装置を用いた撮像機器の高性能化が進んでいる。そしてこれに伴い、固体撮像装置においても、高画素化や広画角化などの高性能化が進んでいる。高性能な固体撮像装置としては、カメラ駆動用回路などの周辺回路を実装した基板（例えば、フレキシブル配線基板やリジッド配線基板）を搭載することにより高密度化したものがある。
【０００３】
ところで、固体撮像装置の製造工程では、従来、不良品をスクリーニングするために、電気的な試験や特性評価などを行うためのテスタを用いて、種々のテストが実施されている。この固体撮像装置のテストは、通常、検査対象の固体撮像装置を、テスタに設けられたテストソケット内に設置して実施する。そのため、精度良く、かつ良好にテストを実施するためには、特に高性能な固体撮像装置の場合、固体撮像装置の焦点や画角を、光学の中心にできるだけ正確に合わせる必要がある。すなわち、できるだけ正確に位置決めして、固体撮像装置をテストソケット内に設置する必要がある。
【０００４】
テストソケットにおける固体撮像装置の位置決めに関する技術は、例えば特許文献１に記載されている。特許文献１に記載のテストソケットは、固体撮像装置を、収容状態における固体撮像装置の天面に平行な方向に位置決めおよび固定する位置決め手段として、固体撮像装置の４つの角部のうち、一方の対角線上の２つの角部を固定する固定チャック部、および、他方の対角線上の２つの角部をそれぞれ中心に向けて付勢する可動チャックを備えている。
【先行技術文献】
【特許文献】
【０００５】
【特許文献１】特開２００７−１０９５３４号公報（２００７年４月２６日公開）
【発明の概要】
【発明が解決しようとする課題】
【０００６】
しかしながら、フレキシブル配線基板が搭載された固体撮像装置に対し、従来のテストソケットを用いてテストを行うと、全体としての正確な位置決めが困難であるという問題がある。
【０００７】
つまりは、フレキシブル配線基板が搭載された固体撮像装置をテストソケットに設置しても、テストソケットの位置決め手段がフレキシブル配線基板に接触するなどして、固体撮像装置を正確に位置決めすることができない。
【０００８】
また、フレキシブル配線基板に設けられた各接続端子が、テストソケットに設けられた各コンタクト端子と電気的に接続されるように、正確に位置決めしながらフレキシブル配線基板をテストソケット内に設置する必要があるが、固体撮像装置に搭載されたフレキシブル配線基板は、固体撮像装置へ固定させた際に許容範囲は満たしていてもずれが生じている場合がある。この場合、固体撮像装置を正確に位置決めして設置したとしても、フレキシブル配線基板の搭載ずれにより、フレキシブル配線基板の各接続端子とテストソケットの各コンタクト端子との位置合わせが困難となる。
【０００９】
しかも、フレキシブル配線基板の各接続端子とテストソケットの各コンタクト端子とを圧着させることで、固体撮像装置とフレキシブル配線基板との搭載関係によっては固体撮像装置の浮きが生じることもある。
【００１０】
よって、固体撮像装置およびフレキシブル配線基板の両方の位置決めに対応させるためには、フレキシブル配線基板が搭載された固体撮像装置毎に、専用のテストソケットを作成する必要があった。
【００１１】
本発明は、上記従来の問題点に鑑みなされたものであって、その目的は、フレキシブル配線基板の搭載ずれに柔軟に対応可能であり、フレキシブル配線基板が搭載された固体撮像装置全体としての位置決めを正確に行うことができるテストソケットを提供することにある。
【課題を解決するための手段】
【００１２】
本発明のテストソケットは、上記課題を解決するために、接続端子を有するフレキシブル配線基板が搭載された固体撮像装置を収容するテストソケットであって、上記固体撮像装置が収容される第１収容部と、上記フレキシブル配線基板が収容される第２収容部と、上記第１収容部を開閉する第１開閉部とを備え、上記第２収容部には、上記接続端子と電気的に接続させるためのコンタクト端子が設けられ、上記第１開閉部には、当該第１開閉部を閉じることで、上記第１収容部に収容される固体撮像装置の、Ｘ軸方向、Ｙ軸方向、Ｚ軸方向、および、Ｚ軸を回転軸とした回転方向における位置決めを行う位置決め部が設けられ、上記第２収容部は、連動手段を介して、上記第１収容部に移動可能に接続され、上記連動手段は、上記第１開閉部の閉動作に連動して、上記固体撮像装置と上記フレキシブル配線基板との位置関係に応じて上記第２収容部を移動させることを特徴としている。
【００１３】
上記の構成によれば、第１開閉部を閉じることで、位置決め部により、固体撮像装置の、Ｘ軸方向、Ｙ軸方向、Ｚ軸方向、および、Ｚ軸を回転軸とした回転方向における位置決めを精度良く行うことが可能となる。よって、固体撮像装置の焦点や画角を、光学の中心により正確に合わせることが可能となる。
【００１４】
ここで、個々の被テスト装置毎に、固体撮像装置とフレキシブル配線基板との位置関係（搭載関係）にはずれが生じていることがある。この場合であっても、上記の構成によれば、連動手段により、第１開閉部の閉動作に連動して、上記位置関係に応じて第２収容部が移動する。よって、上記位置関係のずれに柔軟に対応しながら、フレキシブル配線基板の接続端子と第２収容部のコンタクト端子との位置合わせを精度良く行うことが可能となる。
【００１５】
したがって、フレキシブル配線基板の搭載ズレに柔軟に対応可能であり、フレキシブル配線基板が搭載された固体撮像装置全体としての位置決めを正確に行うことが可能となる。それゆえ、精度良く、かつ良好にテストを実施することが可能となる。
【００１６】
また、本発明のテストソケットは、上記第２収容部を開閉する第２開閉部をさらに備え、上記第１開閉部は、上記第１収容部に着脱可能に取り付けられ、上記第２開閉部は、上記第２収容部に着脱可能に取り付けられていることが好ましい。
【００１７】
上記の構成によれば、固体撮像装置およびフレキシブル配線基板のうち一方にサイズや形状の変更があっても、片方のみを取り替えることが可能となり、サイズや形状変更に柔軟に対応することが可能となる。
【発明の効果】
【００１８】
以上のように、本発明のテストソケットは、固体撮像装置が収容される第１収容部と、フレキシブル配線基板が収容される第２収容部と、上記第１収容部を開閉する第１開閉部とを備え、上記第２収容部には、上記接続端子と電気的に接続させるためのコンタクト端子が設けられ、上記第１開閉部には、当該第１開閉部を閉じることで、上記第１収容部に収容される固体撮像装置の、Ｘ軸方向、Ｙ軸方向、Ｚ軸方向、および、Ｚ軸を回転軸とした回転方向における位置決めを行う位置決め部が設けられ、上記第２収容部は、連動手段を介して、上記第１収容部に移動可能に接続され、上記連動手段は、上記第１開閉部の閉動作に連動して、上記固体撮像装置と上記フレキシブル配線基板との位置関係に応じて上記第２収容部を移動させる構成である。
【００１９】
それゆえ、フレキシブル配線基板の搭載ズレに柔軟に対応可能であり、フレキシブル配線基板が搭載された固体撮像装置全体としての位置決めを正確に行うことができるという効果を奏する。
【図面の簡単な説明】
【００２０】
【図１】本発明におけるテストソケットの実施の一形態を示す上面図である。
【図２】図１のテストソケットのＡ−Ａ’線断面図である。
【図３】図１のテストソケットのａ−ａ’線断面図である。
【図４】上記テストソケットにおける支柱の構成を示す上面図である。
【図５】上記テストソケットにおける基板台が移動する様子を示す上面図である。
【図６】上記テストソケットに収容される被テスト装置の一構成例を示す、（ａ）は上面図であり、（ｂ）は側面図である。
【発明を実施するための形態】
【００２１】
本発明の一実施形態について図面に基づいて説明すれば、以下の通りである。
【００２２】
本実施の形態では、フレキシブル配線基板が搭載された固体撮像装置の電気特性テストおよび品質テストなどで使用するテストソケットについて説明する。以下では、まず、被テスト装置である、フレキシブル配線基板が搭載された固体撮像装置の構成について説明する。その後、テストソケットの構成などについて順番に説明する。
【００２３】
（被テスト装置）
図６は、被テスト装置１の一構成例を示す、（ａ）は上面図であり、（ｂ）は側面図である。なお、ここでは、固体撮像装置２の撮像面３が設けられている側を、被テスト装置１の上側としている。
【００２４】
図６に示すように、被テスト装置１は、フレキシブル配線基板４が搭載された固体撮像装置２である。
【００２５】
固体撮像装置２は、上面視矩形のチップ形状を有している。固体撮像装置２の天面には、撮像面３が設けられている。固体撮像装置２の裏面（撮像面３の設置面とは反対側の面）に、フレキシブル配線基板４が固定されている。
【００２６】
フレキシブル配線基板４は、短冊状の形状を有している。フレキシブル配線基板４は、固体撮像装置２の４側面のうち１側面側に延伸するように、長尺方向の一方の端が固体撮像装置２に固定されている。フレキシブル配線基板４の長尺方向の他方の端には、接続部５が設けられている。接続部５には、被テスト装置１の外部と接続可能な接続端子６が複数設けられている。各接続端子６は下側に突出している。フレキシブル配線基板４には複数の配線（図示せず）が設けられており、各接続端子６（全てでなくともよい）は、各配線を介して、固体撮像装置２に電気的に接続されている。
【００２７】
また、フレキシブル配線基板４には、配線のみならず、カメラ駆動用回路などの周辺回路が適宜実装されていてもよい（図示せず）。周辺回路は、フレキシブル配線基板４における、固体撮像装置２への固定部と接続部５との間の領域に実装することができる。
【００２８】
（テストソケット）
次に、上記被テスト装置１のためのテストソケットについて説明する。
【００２９】
図１は、本実施の形態のテストソケット１０の一構成例を示す上面図であり、設置台用蓋１３および基板台用蓋１４が開いているときの様子を示している。図２は、図１のテストソケット１０のＡ−Ａ’線断面図である。図１および図２において、１点鎖線は被テスト装置１を示す。
【００３０】
なお、以下では、図１の紙面視における左右方向をＸ軸、上下方向をＹ軸とするとともに、図２の紙面視における上下方向をＺ軸とする。また、設置台用蓋１３および基板台用蓋１４が設けられている側、すなわち図２の上側を、テストソケット１０の上側としている。
【００３１】
テストソケット１０は、被テスト装置１を所定の位置で収容するためのものである。テストソケット１０は、図１に示すように、設置台１１（第１収容部）、基板台１２（第２収容部）、設置台用蓋１３（第１開閉部）、および基板台用蓋１４（第２開閉部）を備えている。
【００３２】
設置台１１は、被テスト装置１が設置される台である。設置台１１は、図１および図２に示すように、固体撮像装置２を設置させるための凹状の凹部１５と、基板台１２が設置される組立面１６とを有する。凹部１５の深さは、固体撮像装置２の厚さ（高さ）よりも小さい。凹部１５の上面視外形形状は、固体撮像装置２の上面視外形形状に合わせて、適宜ある程度のあそびを持たせて決められる。ここでは、凹部１５の上面視外形形状は矩形となっている。組立面１６は、凹部１５の底面よりも、基板台１２の厚み分低い位置にある。
【００３３】
設置台１１の組立面１６には、支柱１７が設けられている。支柱１７は、上側に突出する円柱体である。支柱１７は、上面視において、その中心軸が、凹部１５の中心点を通るＸ軸に平行な直線上に位置するように配置されている。支柱１７は、基板台１２の貫通孔１８に挿入されたときに、基板台１２の表面から突出しないような高さを有している。
【００３４】
設置台用蓋１３は、設置台１１を開閉するための蓋である。設置台１１および設置台用蓋１３により、固体撮像装置２は収容される。設置台用蓋１３は、Ｘ軸を回転軸として回転可能に、設置台１１に取り付けられている。設置台用蓋１３には、開口部３１が設けられている。設置台用蓋１３は、設置台１１の凹部１５が形成されている面側を覆う（閉じる）ことによって、凹部１５内に設置された固体撮像装置２を、位置決めしながら所定の位置で静止させる。これについては詳細に後述する。
【００３５】
基板台１２は、フレキシブル配線基板４が設置される台である。基板台１２には、貫通孔１８およびコンタクト部１９が形成されている。貫通孔１８は、上面視円形の貫通孔であり、支柱１７の径よりも大きな径を有する。基板台１２は、設置台１１の支柱１７が貫通孔１８に挿入された状態で、設置台１１の組立面１６に配置されている。コンタクト部１９は、凹状形状を有している。コンタクト部１９の凹んだ面には、被テスト装置１における接続部５の各接続端子６と電気的な接続を行うためのコンタクト端子２０が複数設けられている。各コンタクト端子２０は、基板台１２の内部に配された配線（図示せず）を介して、テストソケット１０の外部（例えばテスタ）と接続することができる。
【００３６】
基板台用蓋１４は、基板台１２を開閉するための蓋である。基板台１２および基板台用蓋１４により、フレキシブル配線基板４は収容される。基板台用蓋１４は、Ｘ軸を回転軸として回転可能に、基板台１２に取り付けられている。基板台用蓋１４には、凸状の圧着部２１が設けられている。基板台用蓋１４は、基板台１２のコンタクト部１９が形成されている面側を覆う（閉じる）ことによって、基板台１２に設置されたフレキシブル配線基板４の接続部５を、コンタクト部１９に圧着させる。これにより、接続部５の各接続端子６とコンタクト部１９の各コンタクト端子２０とが電気的に接続される。
【００３７】
また、設置台用蓋１３は、設置台１１に着脱可能に取り付けられ、基板台用蓋１４は、基板台１２に着脱可能に取り付けられていることが望ましい。これにより、固体撮像装置２およびフレキシブル配線基板４のうち一方にサイズや形状の変更があっても、片方のみを取り替えることが可能となる。
【００３８】
（設置台用蓋１３の構成）
次に、設置台用蓋１３の構成について説明する。
【００３９】
図３は、固体撮像装置２が設置台１１の凹部１５に設置された状態で設置台用蓋１３が閉じられたときの、図１のテストソケット１０のａ−ａ’線断面図である。図３において、１点鎖線は、開いた状態の設置台用蓋１３を示す。
【００４０】
図３に示すように、設置台用蓋１３には、開口部３１が形成されている。開口部３１は、固体撮像装置２の撮像面３に光を照射するときに光を遮らないように配置されている。つまりは、開口部３１を介して、固体撮像装置２の撮像面３への光の照射が行われる。開口部３１は、上面視矩形の形状を有している。
【００４１】
開口部３１により形成された内側の側面に、内機構部が設けられている。内機構部は、固体撮像装置２を、位置決めしながら所定の位置で静止させる部分である。内機構部は、開口部３１により形成された内側の４側面のうち、基板台１２の配置側を除いた３側面に設けられた斜面３２により構成されている。各斜面３２は、設置台用蓋１３が完全に閉じた時に、固体撮像装置２の上面の縁（端）と当たる（接触する）ように形成されている（図３中のＰ部、Ｑ部）。なおかつ、このとき、固体撮像装置２が所定の位置に静止して配置されるように、各斜面３２は配置されている。各斜面３２は、設置台用蓋１３が完全に閉じた時に、凹部１５の底面の法線と、上側で鋭角をなすように傾斜している。
【００４２】
（基板台１２の可動構成）
次に、基板台１２の可動構成について説明する。
【００４３】
固体撮像装置２の位置決めにより固体撮像装置２の固定が行われる。そして、その際に生まれる固体撮像装置２とフレキシブル配線基板４との搭載ずれを許容範囲としながら、基板台１２が支柱１７（連動手段）を基準とし連動して可動を行い、フレキシブル配線基板４の先端に設けられた接続端子６を、凹状形状のコンタクト部１９に誘い込みながらコンタクトとする。
【００４４】
通常、固体撮像装置２とフレキシブル配線基板４との搭載精度には寸法公差が存在するが、これを吸収するように、基板台１２は、支柱１７を基準として、ｘｙ平面において四方八方に移動可能に構成されている。
【００４５】
また、図１では、貫通孔１８は上面視円形の形状を有していたが、これに限らず、図４に示すように楕円形であってもよい。固体撮像装置２とフレキシブル配線基板４との搭載ずれを吸収できるように予め定められた基板台１２の可動範囲に応じて、貫通孔１８の形状およびサイズは決められる。さらに、支柱１７は、円柱体に限らず、丸い筒状のようなものでもよい。
【００４６】
（テストソケット１０の収容動作）
次に、被テスト装置１を収容するまでの、テストソケット１０の動作について説明する。
【００４７】
図５は、被テスト装置１をテストソケット１０へ収容するときの様子を示す上面図である。なお、図５では、搭載ずれを有する被テスト装置１を設置したときの様子が、２点鎖線で示されている。
【００４８】
まず、テストソケット１０の設置台用蓋１３および基板台用蓋１４を開けた状態で、設置台１１および基板台１２に、被テスト装置１を設置する。このとき、設置台１１の凹部１５内に固体撮像装置２を置くとともに、基板台１２上にフレキシブル配線基板４を置くだけでよく、正確な位置合わせは必要ない。
【００４９】
続いて、設置台用蓋１３を閉める。設置台用蓋１３を閉め始めると、途中、内機構部の各斜面３２が固体撮像装置２の上面の縁に当たることによって、固体撮像装置２が中心に誘い込まれる。そして、完全に設置台用蓋１３を閉めたとき、固体撮像装置２は所定の位置に配置されるとともに、各斜面３２によって静止固定された状態となる。
【００５０】
つまりは、設置台用蓋１３を閉めることで、内機構部の各斜面３２によって固体撮像装置２の上面の縁を押さえながら固体撮像装置２を中心に誘い込むことにより、Ｘ軸方向、Ｙ軸方向、およびＺ軸を回転軸とした回転方向への位置決め、さらには、Ｚ軸方向への位置決めについて、同時に行うことが可能となる。
【００５１】
一方、設置台用蓋１３を閉じる動作の間、設置台用蓋１３の閉動作に連動して、固体撮像装置２とフレキシブル配線基板４との搭載関係（位置関係）のずれに応じて基板台１２が移動する。これにより、固体撮像装置２とフレキシブル配線基板４との搭載関係のずれを吸収するように、自動的にフレキシブル配線基板４の位置決めが行われる。よって、上記搭載関係のずれに柔軟に対応しながら、フレキシブル配線基板４の各接続端子６と基板台１２の各コンタクト端子２０との位置合わせを精度良く行うことが可能となる。
【００５２】
したがって、設置台用蓋１３を完全に閉じたとき、固体撮像装置２の位置決めと同時に、フレキシブル配線基板４の位置決めを行うことが可能となる。
【００５３】
続いて、基板台用蓋１４を閉める。これにより、圧着部２１によって接続部５がコンタクト部１９に圧着されることで、各接続端子６と各コンタクト端子２０とがずれることなく、高精度で電気的に接続される。
【００５４】
このようにして、被テスト装置１は、精度良く、テストソケット１０に収容される。なお、基板台用蓋１４を完全に閉めたとき、固体撮像装置２を上側（Ｚ軸方向）に浮かせるように力が固体撮像装置２に働いたとしても、固体撮像装置２は設置台用蓋１３の各斜面３２によって静止固定されているので、浮きを固定することが可能となる。
【００５５】
以上のように、テストソケット１０は、設置台１１、基板台１２、設置台用蓋１３、および基板台用蓋１４を備え、設置台用蓋１３には、設置台用蓋１３を閉じることで、設置台１１に収容される固体撮像装置２の、Ｘ軸方向、Ｙ軸方向、Ｚ軸方向、および、Ｚ軸を回転軸とした回転方向における位置決めを行う内機構部が設けられ、基板台１２は、連動手段を介して、設置台１１に移動可能に接続され、上記連動手段は、設置台用蓋１３の閉動作に連動して、固体撮像装置２とフレキシブル配線基板４との位置関係に応じて基板台１２を移動させる構成を有する。
【００５６】
それゆえ、テストソケット１０では、設置台用蓋１３を閉じることで、内機構部により、固体撮像装置２の、Ｘ軸方向、Ｙ軸方向、Ｚ軸方向、および、Ｚ軸を回転軸とした回転方向の位置決めを精度良く行うことが可能となる。よって、固体撮像装置２の焦点や画角を、光学の中心により正確に合わせることが可能となる。
【００５７】
ここで、個々の被テスト装置１毎に、固体撮像装置２とフレキシブル配線基板４との位置関係（搭載関係）にはずれが生じていることがある。この場合であっても、連動手段により、設置台用蓋１３の閉動作に連動して、上記位置関係に応じて基板台１２が移動する。よって、上記位置関係のずれに柔軟に対応しながら、フレキシブル配線基板４の各接続端子６と基板台１２の各コンタクト端子２０との位置合わせを精度良く行うことが可能となる。
【００５８】
したがって、フレキシブル配線基板４の搭載ズレに柔軟に対応可能であり、被テスト装置１全体としての位置決め、すなわちフレキシブル配線基板４が搭載された固体撮像装置２全体としての位置決めを正確に行うことが可能となる。それゆえ、精度良く、かつ良好にテストを実施することが可能となる。
【００５９】
また、テストソケット１０は、固体撮像装置２の収容側と、フレキシブル配線基板４の収容側とのそれぞれに対し開閉を行う手段として、着脱可能な設置台用蓋１３および基板台用蓋１４を備えている。それゆえ、固体撮像装置２およびフレキシブル配線基板４のうち一方にサイズや形状の変更があっても、片方のみを取り替えることが可能となり、サイズや形状変更に柔軟に対応することが可能となる。
【００６０】
さらに、テストソケット１０は、設置台１１と基板台１２とがそれぞれ独立した状態にある。それゆえ、例えば、フレキシブル配線基板４の改訂に伴う変更であれば、基板台１２の交換のみで、同じテストソケット１０を利用することが可能となる。このように、テストソケット１０は、サイズが異なった被テスト装置１にも対応可能なソケットである。よって、テストに係るコストの削減、および、テストソケット開発期間の短縮を図ることが可能となる。
【００６１】
なお、テストソケット１０は、上述した構成を主要部として備えるものであり、主要部に悪影響を及ぼさない他の構成を備えていてもよい。例えば、設置台用蓋１３および基板台用蓋１４には、設置台１１および基板台１２に対し、係止および解除可能な係合部が設けられていることが望ましい。これにより、テストソケット１０に収容された被テスト装置１を、軽微な振動などに対しても静止固定させることが可能となる。
【００６２】
また、主要部は、上述した機能を有していれば、図示した形状に限るものではない。例えば、基板台用蓋１４は、フレキシブル配線基板４に周辺回路が実装されている場合を考慮して、それと干渉しないような形状とすればよい。さらに、作業性を考慮すると、設置台用蓋１３および基板台用蓋１４は、同じ開閉方向となるように配置されていることが望ましいが、これに限るわけではない。
【００６３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６４】
本発明は、フレキシブル配線基板が搭載された固体撮像装置のテストに使用されるテストソケットに関する分野に好適に用いることができるだけでなく、テストソケットの製造方法に関する分野、さらには、テストソケットを用いた検査装置および検査方法に関する分野にも広く用いることができる。上記フレキシブル配線基板が搭載された固体撮像装置は、カメラ付携帯電話やデジタルスチルカメラなどの撮像機器に用いられる。
【符号の説明】
【００６５】
１  被テスト装置
２  固体撮像装置
３  撮像面
４  フレキシブル配線基板
５  接続部
６  接続端子
１０  テストソケット
１１  設置台（第１収容部）
１２  基板台（第２収容部）
１３  設置台用蓋（第１開閉部）
１４  基板台用蓋（第２開閉部）
１５  凹部
１６  組立面
１７  支柱（連動手段）
１８  貫通孔
１９  コンタクト部
２０  コンタクト端子
２１  圧着部
３１  開口部
３２  斜面
【図１】
2011171011.tif 000003
【図２】
2011171011.tif 000004
【図３】
2011171011.tif 000005
【図４】
2011171011.tif 000006
【図５】
2011171011.tif 000007
【図６】
2011171011.tif 000008